(57)【要約】【課題】呼に失敗したときに、同じ相手の他の連絡先に自動的に再発信を行う方法を提供する。【解決手段】本発明に係る再発信方法は、被呼者の電話帳登録内容にある第１連絡先に発呼を行う段階と、該呼が通話不能状態であった場合、その通話不能状態に関するコール状態情報を受信する段階と、該コール状態情報を分析し、被呼者の電話帳登録内容を検索する段階と、これら分析及び検索に基づいて、被呼者の電話帳登録内容にある別の連絡先に再発信を行う段階と、を含む。【選択図】図３
2006211672.tif 000002
【特許請求の範囲】
【請求項１】
（ａ）通話しようとする相手の第１連絡先に発呼を行う段階と、
（ｂ）当該呼が通話不能状態となったときに、該通話不能状態に関するコール状態情報を受信する段階と、
（ｃ）前記コール状態情報を分析し、そして前記相手の電話帳登録内容を検索する段階と、
（ｄ）（ｃ）段階の分析及び検索に基づいて、前記相手の電話帳登録内容にある第２連絡先に再発信を行う段階と、
を含むことを特徴とする移動通信端末機の再発信方法。
【請求項２】
前記相手の電話帳登録内容に１つ以上の電話番号が含まれ得ることを特徴とする請求項１に記載の移動通信端末機の再発信方法。
【請求項３】
前記相手の電話帳登録内容に電子メールアドレスやファックス番号が含まれ得ることを特徴とする請求項２に記載の移動通信端末機の再発信方法。
【請求項４】
前記相手の電話帳登録内容に含まれ得る１つ以上の電話番号、電子メールアドレス、ファックス番号は、発信優先順位を設定可能であることを特徴とする請求項３に記載の移動通信端末機の再発信方法。
【請求項５】
（ａ）段階の前記第１連絡先は、前記相手の電話帳登録内容において第１の発信優先順位に設定された電話番号であることを特徴とする請求項１に記載の移動通信端末機の再発信方法。
【請求項６】
（ｂ）段階の前記コール状態情報は、移動通信ネットワークシステムから所定のデジタルコード形態で提供されることを特徴とする請求項１に記載の移動通信端末機の再発信方法。
【請求項７】
前記コール状態情報は、前記第１連絡先が通話中、電源オフ又は無応答であるという情報を少なくとも含むことを特徴とする請求項６に記載の移動通信端末機の再発信方法。
【請求項８】
（ｃ）段階は、
前記分析したコール状態情報をユーザに対し表示する段階と、
前記相手の電話帳登録内容に前記第１連絡先以外の連絡先があるか否かを検索する段階と、
を含むことを特徴とする請求項１に記載の移動通信端末機の再発信方法。
【請求項９】
（ｄ）段階は、
（ｄ−ａ）前記相手の電話帳登録内容にある複数の連絡先に発信優先順位が設定されているか否かを検索する段階と、
（ｄ−ｂ）（ｄ−ａ）段階の検索の結果、前記発信優先順位が設定されている場合、前記第１連絡先の次順位の発信優先順位に設定されている連絡先を前記第２連絡先に決定する段階と、
（ｄ−ｃ）（ｄ−ａ）段階の検索の結果、前記発信優先順位が設定されていない場合、前記相手の電話帳登録内容をユーザに対し表示し、再発信する連絡先を前記相手の電話帳登録内容からユーザに選択させて前記第２連絡先に決定する段階と、
（ｄ−ｄ）前記決定した第２連絡先に再発信を行う段階と、
を含むことを特徴とする請求項１に記載の移動通信端末機の再発信方法。
【請求項１０】
（ｄ−ｄ）段階は、
前記第２連絡先が電話番号でない場合、Ｅメール作成ウィンドウ、ＳＭＳ作成ウィンドウ又はＭＭＳ作成ウィンドウをユーザに対し提供する段階と、
該Ｅメール作成ウィンドウ、ＳＭＳ作成ウィンドウ又はＭＭＳ作成ウィンドウでユーザにメッセージを作成させて前記第２連絡先に再発信を行う段階と、
を含むことを特徴とする請求項９に記載の移動通信端末機の再発信方法。
【請求項１１】
（ｄ）段階の再発信が通話不能状態であったときに、該通話不能状態に関するコール状態情報を受信する（ｂ）段階を実行し、そして、（ｃ）段階及び（ｄ）段階を実行して第３連絡先に再発信を行うことを特徴とする請求項１に記載の移動通信端末機の再発信方法。
【請求項１２】
移動通信端末機の発呼が通話不能状態であった場合において、
当該呼に関するコール状態情報を移動通信ネックワークシステムから前記移動通信端末機が受信して分析し、
該分析したコール状態情報に基づいて、前記呼の相手と通信可能な通信手段をメモリから読み出して前記移動通信端末機が再発信を行うことを特徴とする移動通信端末機の再発信方法。
【請求項１３】
前記コール状態情報は、着呼局の通話中、電源オフもしくは無応答、又はネットワーク状態不安定に関する情報のいずれか１つを少なくとも含むことを特徴とする請求項１２に記載の移動通信端末機の再発信方法。
【請求項１４】
前記分析したコール状態情報を、ディスプレイに表示するか、又はアラーム、音声、振動、ベルなどで前記移動通信端末機がユーザに通知することを特徴とする請求項１２に記載の移動通信端末機の再発信方法。
【請求項１５】
前記通信手段は、電話番号、ファックス番号又は電子メールアドレスのうちいずれか１つを少なくとも含むことを特徴とする請求項１２に記載の移動通信端末機の再発信方法。
【請求項１６】
電話番号、ファックス番号又は電子メールアドレスのうちいずれか１つを少なくともを含む通信手段が前記呼の相手の電話帳登録内容としてメモリに記憶されていることを特徴とする請求項１５に記載の移動通信端末機の再発信方法。
【請求項１７】
電話番号、ファックス番号又は電子メールアドレスのうちいずれか１つを少なくとも含む通信手段にそれぞれ発信優先順位が設定されていることを特徴とする請求項１６に記載の移動通信端末機の再発信方法。
【請求項１８】
通話不能状態となった前記発呼に対応する通信手段の発信優先順位が、前記再発信する通信手段の発信優先順位よりも高いことを特徴とする請求項１７に記載の移動通信端末機の通話実行方法。
【請求項１９】
相手毎の登録内容に１つ以上の連絡先を含む電話帳を格納するメモリ部と、
発呼後に移動通信ネックワークシステムから伝送されるコール状態情報を分析し、該呼の相手に再発信を行うと判断したときに、前記メモリ部に格納されている当該相手の電話帳登録内容にある連絡先を検索して再発信を行うように制御する制御部と、
該制御部が分析した前記コール状態情報、前記メモリ部に格納された電話帳、Ｅメールの作成ウィンドウ、ＳＭＳの作成ウィンドウ及びＭＭＳの作成ウィンドウを、前記制御部の制御により表示するディスプレイと、
を含んで構成されることを特徴とする移動通信端末機。
【請求項２０】
前記メモリ部に格納される電話帳は、連絡先として電話番号及び電子メールアドレスを１つ以上含み、該連絡先に発信優先順位が設定されていることを特徴とする請求項１９に記載の移動通信端末機。
【請求項２１】
前記制御部は、前記相手の電話帳登録内容にある連絡先の発信優先順位を判断し、その発信優先順位の高い順に再発信を行うことを特徴とする請求項２０に記載の移動通信端末機。
【請求項２２】
前記制御部は、前記再発信を行う連絡先の通信手段を判断することを特徴とする請求項２１に記載の移動通信端末機。
【発明の詳細な説明】
【技術分野】
【０００１】
本発明は、移動通信（移動体通信）端末機に関し、特に、相手方電話番号が通話不能状態であるとき、その相手の他の電話番号や電子メールなど、他の連絡先に再発信を行う技術に関する。
【背景技術】
【０００２】
一般に、移動通信端末機（以下、端末機とも称する）は、端末機自体にメモリを備えており、そのメモリには、各種制御プログラムだけでなく、電話番号や電子メールアドレス（Ｅメール、ショートメッセージングサービス：ＳＭＳ、マルチメディアメッセージングサービス：ＭＭＳの各アドレスを含めて呼ぶ）などを保存する電話帳などが格納される。特に、電話帳は、端末機が提供するサービスメニューの１つであり、名前別にして、複数の電話番号、住所及び電子メールアドレスなどの多数の連絡先を登録したものである。
【０００３】
このような電話帳は、名前別に生成された複数の電話帳ページから構成され、その各電話帳ページに所定のホットキーを割り付けることが可能になっている。従って、ユーザ（すなわち、発信者、発呼者）は、電話帳に名前が収録されている誰か（すなわち、着信者、被呼者、相手）との通話を試みる場合、その呼出相手の電話番号を直接ダイヤルせずとも、該相手の電話帳ページに該当するホットキーを押して発呼することができ、この手法が一般的である。通常は、ユーザが呼出相手に該当するホットキーを押すと、該相手電話帳ページ（登録内容）にある連絡先のうち、代表電話番号として登録されている連絡先に発呼される。
【０００４】
また、この呼出相手の該当ホットキーを押す手法以外にも、その名前を入力して呼出し（コール）を行うこともできる。
【０００５】
このような方法でユーザが相手に発呼を試みた場合に、様々な状況により、その呼が接続されない通話不能状態になることがある。この通話不能状態は、例えば、相手端末機（着呼局）の通話中、電源オフ状態、あるいは相手が電話にでない無応答状態などで発生する。このように、ユーザの発呼が通話不能状態となった場合、当該ユーザ及び相手が加入している移動通信ネットワークシステムの所定装置（例えば、ＨＬＲ（Home Location Register））が通話不能の原因を把握し、該移動通信ネットワークシステムの交換機（例えば、ＭＳＣ）が通話不能に関するコール（呼）状態情報を、発呼局であるユーザの端末機に提供する。このコール状態情報は所定のデジタルコードであり、一般に「原因コード（cause code）」という。
【発明の開示】
【発明が解決しようとする課題】
【０００６】
従来の移動通信システムにおいて、ユーザの端末機がコール状態情報、すなわち原因コードを受信した場合、相手に対する呼接続は失敗として処理される。この場合にユーザは、その発呼した電話番号以外の他の連絡先を、当該相手の電話帳登録内容から直接、キー操作して検索し、該他の連絡先を選択して再び呼出し（フックオフ）を行わなければならないという不都合があった。
【０００７】
また、ユーザは、相手の代表電話番号に発呼したけれども所定の原因（すなわち、通話中又は電源オフあるいは無応答など）で通話不能となった場合、電話通話ではない他の通信手段（例えば、Ｅメール、ＳＭＳ、ＭＭＳなど）で連絡をとりたいと思う場合がある。従って、これに対する技術的解決の必要性がある。
【０００８】
本発明は、このような課題を解決するために提案されたもので、本発明の目的は、ユーザが相手の所定電話番号に試みた呼が通話不能状態となった場合に、移動通信ネットワークシステムから提供されるコール状態情報を利用して、相手の他の連絡先へ自動的に再発信する再発信方法及びこれを実行する端末機を提供することにある。
【課題を解決するための手段】
【０００９】
このような目的を達成するために、本発明に係る移動通信端末機の再発信方法は、（ａ）通話しようとする相手の第１連絡先に発呼を行う段階と、（ｂ）その呼が通話不能状態となったときに、該通話不能状態に関するコール状態情報を受信する段階と、（ｃ）そのコール状態情報を分析し、そして相手の電話帳登録内容を検索する段階と、（ｄ）（ｃ）段階の分析及び検索に基づいて、相手の電話帳登録内容にある第２連絡先に再発信を行う段階と、を含むことを特徴とする。
【００１０】
好ましくは、（ｃ）段階は、分析したコール状態情報をユーザに対し表示する段階と、相手の電話帳登録内容に第１連絡先以外の連絡先があるか否かを検索する段階と、を含む。
【００１１】
好ましくは、（ｄ）段階は、（ｄ−ａ）相手の電話帳登録内容にある複数の連絡先に発信優先順位が設定されているか否かを検索する段階と、（ｄ−ｂ）（ｄ−ａ）段階の検索の結果、発信優先順位が設定されている場合、第１連絡先の次順位の発信優先順位に設定されている連絡先を第２連絡先に決定する段階と、（ｄ−ｃ）（ｄ−ａ）段階の検索の結果、発信優先順位が設定されていない場合、相手の電話帳登録内容をユーザに対し表示し、再発信する連絡先を相手の電話帳登録内容からユーザに選択させて第２連絡先に決定する段階と、（ｄ−ｄ）決定した第２連絡先に再発信を行う段階と、を含む。
【００１２】
好ましくは、（ｄ）段階の再発信が通話不能状態であったときに、該通話不能状態に関するコール状態情報を受信する（ｂ）段階を実行し、そして、（ｃ）段階及び（ｄ）段階を実行して第３連絡先に再発信を行う。
【００１３】
好ましくは、（ｄ−ｄ）段階は、前記第２連絡先が電話番号でない場合、Ｅメール作成ウィンドウ、ＳＭＳ作成ウィンドウ又はＭＭＳ作成ウィンドウをユーザに対し提供する段階と、該Ｅメール作成ウィンドウ、ＳＭＳ作成ウィンドウ又はＭＭＳ作成ウィンドウでユーザにメッセージを作成させて第２連絡先に再発信を行う段階と、を含む。
【００１４】
あるいは、本発明に係る移動通信端末機の再発信方法は、移動通信端末機の発呼が通話不能状態であった場合において、当該呼に関するコール状態情報を移動通信ネットワークシステムから移動通信端末機が受信して分析し、該分析したコール状態情報に基づいて、この呼の相手と通信可能な通信手段をメモリから読み出して移動通信端末機が再発信を行うことを特徴とする。
【００１５】
また、上記目的を達成するために、本発明に係る移動通信端末機は、相手毎の登録内容に１つ以上の連絡先を含む電話帳を格納するメモリ部と、発呼後に移動通信ネックワークシステムから伝送されるコール状態情報を分析し、該呼の相手に再発信を行うと判断したときに、メモリ部に格納されている当該相手の電話帳登録内容にある連絡先を検索して再発信を行うように制御する制御部と、該制御部が分析したコール状態情報、メモリ部に格納された電話帳、Ｅメールの作成ウィンドウ、ＳＭＳの作成ウィンドウ及びＭＭＳの作成ウィンドウを、制御部の制御により表示するディスプレイと、を含んで構成されることを特徴とする。
【発明の効果】
【００１６】
本発明は、ユーザが相手の代表電話番号に試みた発呼が通話不能であるとき、その原因がユーザ端末機のディスプレイを通して文字などで提供されるという効果がある。
【００１７】
また、本発明は、ユーザが相手に試みた発呼が通話不能である場合も、同じ相手の他の電話番号に自動的に再発呼を行うことができるという効果がある。
【００１８】
また、本発明は、ユーザが相手に試みた発呼が通話不能である場合も、同じ相手の電話番号でない通信手段、すなわち、Ｅメール、ＳＭＳ、ＭＭＳ等の作成ウィンドウが自動的に提供され得るため、通信がより便利になるという効果がある。
【発明を実施するための最良の形態】
【００１９】
本発明は、いわゆる携帯（自動車）電話機において主に実現されるが、他のスタンダードに準拠した無線通信端末機及びマルチメディア通信端末機にも適用される。すなわち、移動通信端末機には、少なくともＰＤＡフォン、ＰＴＴフォン、ＤＭＢフォン、ＤＶＢフォン、ｍｅｄｉａＦＬＯフォンなどの移動通信端末機兼用のマルチメディア通信端末機が含まれる。
【００２０】
本発明は、一般の移動通信ネットワークシステム（例えば、ＨＬＲ）が相手（すなわち、着信者、被呼者）端末機（着呼局）の通信状態（例えば、通話中、電源オフ、無応答、及びネットワーク不安定など）に関する情報を、いわゆる、原因コード形態で、発信者（発呼局）に提供するという点に着目したものである。
【００２１】
本発明の基本概念は、この着目点、すなわち、ユーザが発呼した電話番号で相手と通話できない場合、原因コード情報に基づいて、発呼者の端末機（発呼局）に保存されている同じ相手の他の電話番号又は電子メールアドレス（Ｅメール、ＳＭＳ、ＭＭＳの各アドレス）等に再発信を自動的に試みるというものである。
【００２２】
以下、図面に基づいて本発明の構成及び動作を説明する。
【００２３】
図１は、本発明に係る端末機を示す概略的な構成図である。図１に示すように、本発明に係る端末機１００は、メモリ部１１０と、制御部１２０と、ディスプレイ１３０とを含む。
【００２４】
このような端末機１００の構成をより詳細に説明すると、メモリ部１１０は、相手毎の登録内容に１つ以上の連絡先（例えば、電話番号や電子メールアドレスなど）を含む電話帳を、その各連絡先に発信優先順位を設定可能にして格納している。制御部１２０は、発呼後に移動通信ネックワークシステムが伝送してくるコール状態情報を分析し、その発呼の相手（被呼者）に再発信を行うために、メモリ部１１０に保存されている当該相手の電話帳登録内容にある連絡先を検索し、そして、その検索した連絡先の発信優先順位に基づいて再発信を行う制御を実行する。ディスプレイ１３０は、制御部１２０で分析したコール状態情報、メモリ部１１０に格納された電話帳、Ｅメールの作成ウィンドウ、ＳＭＳの作成ウィンドウ、及びＭＭＳの作成ウィンドウを、制御部１２０の制御により表示する。
【００２５】
これら構成以外にも、本発明に係る端末機１００は、一般の端末機の基本的な構成を少なくとも含む。すなわち、電話番号の入力及び文字メッセージの作成を可能にするキーパッドと、音声を出力するスピーカと、音声を入力するマイクと、信号を送受信するアンテナと、該アンテナを介して発呼等、送信を行う送信部と、アンテナを介して着呼やコール状態情報受信等、受信を行う受信部とを含んでいる。このような構成及び動作は、本発明の技術分野における通常の知識を有する者にとって自明であるので、具体的な説明は省略する。
【００２６】
以下、このように構成された端末機の機能及び動作を図面に基づいて説明する。
【００２７】
図２Ａ〜図２Ｃは、メモリ部１１０に格納される名前別電話帳の例を示す図である。
【００２８】
図２Ａに示すように、ユーザは端末機１００のキーパッドを使用して、名前別（一例として「James Kang」が示されている）の電話帳ページ（本例ではページ番号１００）に複数の連絡先を登録し、メモリ部１１０に格納している。本例における複数の連絡先は、電話番号（例えば、携帯電話番号［Mobile］、自宅電話番号［Home］、会社電話番号［Office］）、ファックス番号［Fax］や電子メールアドレス（Ｅメール［e-mail］、ＳＭＳ［SMS］、ＭＭＳ［MMS］）を１つ以上含んでいる。なお、Ｅメール、ＳＭＳ、ＭＭＳを総称して電子メールとするものとし、本例の場合、ＳＭＳ及びＭＭＳのアドレスとして携帯電話番号が使用されている。
【００２９】
ユーザは、相手「James Kang」の電話帳登録内容にある連絡先に、発信優先順位を設定してメモリ部１１０に格納することができる。図２Ａの例では、相手「James Kang」の電話帳ページ（ページ番号１００＝ホットキー番号）において、携帯電話番号［Mobile］を第１発信優先順位に、会社電話番号［Office］を第２発信優先順位に、自宅電話番号［Home］を第３発信優先順位に、ファックス番号［Fax］を第４発信優先順位に、Ｅメールアドレス［e-mail］を第５発信優先順位にそれぞれ設定している。この他の発信優先順位設定ももちろん可能であるし、また、全連絡先に優先順位を付けるのではなく、図２Ｂのように、携帯電話番号［Mobile］のみを代表連絡先（すなわち、第１発信優先順位）に設定し、その他の連絡先には発信優先順位を設定しないでおくこともできる。さらに、ショートメッセージやマルチメディアメッセージの電子メールに発信優先順位を設定することも可能であり、例えば図２Ａでは「ＳＭＳ」が第６発信優先順位、「ＭＭＳ」が第７発信優先順位に設定されており、また図２Ｃでは、「ＳＭＳ」が第２発信優先順位、「ＭＭＳ」が第３発信優先順位に設定されている。
【００３０】
以下、図２Ａ〜図２Ｃに例示した連絡先を登録内容にもつ名前別電話帳に基づいて再発信を実行する動作につき、図３を参照して説明する。
【００３１】
図３は、呼が通話不能となった時に自動的に再発信を行う制御を示したフローチャートである。
【００３２】
図３を参照すると、制御部１２０で実行される制御は、４つの動作に大別される。すなわち、第１に、発信優先順位を設定した相手の電話帳登録内容を生成する動作（Ｓ３００）、第２に、ユーザが呼出す相手の電話帳登録内容にある電話番号（例えば、第１発信優先順位の電話番号、すなわち代表電話番号）に発呼する動作（Ｓ３１０）、第３に、その呼が通話不能（すなわち、呼接続失敗）となったときに、コール状態情報を受信して分析し、他の連絡先を検索する動作（Ｓ３３０）、第４に、検索された他の連絡先に再発信する動作（Ｓ３４０）、である。
【００３３】
以下、図１〜図３を参照して本発明の動作をより詳しく説明する。
【００３４】
ユーザが端末機１００の電話帳に相手の登録を行うとき、図２Ａ〜図２Ｃに示すように、名前「James Kang」の電話帳ページ（番号１００）を生成して連絡先を登録し、発信優先順位を設定してメモリ部１１０に格納する（Ｓ３００）。
【００３５】
ユーザが端末機１００を利用して、相手「James Kang」に発呼するために、メモリ部１１０に格納された電話帳登録内容にある電話番号（例えば、図２Ａの代表電話番号［Mobile］：第１発信優先順位）を読み出して発呼を行う（Ｓ３１０）。
【００３６】
この発呼の相手「James Kang」が自機で通話中であるか、相手端末機の電源がオフ状態であるか、又は相手が電話に出ない状態（すなわち、無応答状態）であると、当該最初の呼は失敗となる（Ｓ３２１）。このときには、ユーザ及び相手が加入している移動通信ネットワークシステムから呼接続失敗の原因を含むコール状態情報が所定のデジタルコード（いわゆる、原因コード）でユーザの端末機１００に受信される（Ｓ３２２）。このコール状態情報は、通話中、電源オフ、無応答、又はネットワーク不安定などに関する情報をもつ。
【００３７】
端末機１００の制御部１２０は、受信したデジタルコードのコール状態情報を分析し（Ｓ３３１）、その分析したコール状態情報（例えば、通話中）をディスプレイ１３０に表示してユーザに通知する（Ｓ３３２）。この段階（Ｓ３３２）で表示するコール状態情報は、多様な形式でユーザに通知することができる。例えば、図４Ａに示すように、ディスプレイ１３０に所定の通知文字（「James Kangの０１１−１１１−１１１１は現在通話中です」）で表示することができる。この他にも、音声、アラーム音、前記通知文字と共に表示される所定アイコン（例えば、静止画像又は動画像）など、多様な形態、組み合わせでコール状態情報をユーザに通知することができる。
【００３８】
制御部１２０は、段階（Ｓ３３２）で呼接続失敗の原因（例えば、通話中）を分析表示した後、メモリ部１１０に格納された電話帳を検索して、再発信を試みる他の連絡先が同じ相手の電話帳登録内容にあるか否かを検索する（Ｓ３３３）。
【００３９】
段階（Ｓ３３３）の結果、相手「James Kang」の電話帳登録内容（例えば、図２Ａの電話帳ページ１００番）に他の連絡先（すなわち、電話番号又は電子メールアドレス）が存在すると、制御部１２０は、その検索した電話帳登録内容（図２Ａ）に存在する他の連絡先に発信優先順位が設定されているか否か検索する（Ｓ３４１）。
【００４０】
段階（Ｓ３４１）で他の連絡先に発信優先順位が設定されている場合、制御部１２０は、その相手「James Kang」の連絡先のうち次順位の発信優先順位に該当する連絡先（図２Ａの場合会社電話番号［office］：０２−２２２−２２２２：第２発信優先順位）を、メモリ部１１０に格納された電話帳から読み出す（Ｓ３４２）。
【００４１】
制御部１２０は、段階（Ｓ３４２）で読み出された連絡先が電話番号であるか、それとも他の通信手段（すなわち、電子メールアドレス）であるかを判断する（Ｓ３４３）。
【００４２】
段階（Ｓ３４３）の判断で、通信手段が電話番号である場合、制御部１２０は、読み出された第２発信優先順位の連絡先である会社電話番号［office］：０２−２２２−２２２２に自動的に発呼を行う（Ｓ３４４）。このとき、図４Ｂに示すように、制御部１２０はディスプレイ１３０に、自動的に再発呼（再発信）を試みることを文字で表示し、ユーザに通知することができる。
【００４３】
段階（Ｓ３４４）で自動的に行われる再発呼後、再び段階（Ｓ３２１）に戻って、段階（Ｓ３２１）及びその後続段階を繰り返して行う。すなわち、図４Ｃに示すように、第２発信優先順位の連絡先（すなわち、［office］：０２−２２２−２２２２）に行った再発呼も通話不能で呼接続に失敗すると、当該呼に関するコール状態情報を受信して分析し、その状態情報をディスプレイ１３０に表示した後、相手「James Kang」の第３発信優先順位の連絡先（すなわち、図２Ａの［Home］：０３−３３３−３３３３）に再々発呼を行う。
【００４４】
一方、段階（Ｓ３４１）で他の連絡先に、図２Ｂに示すように、発信優先順位が設定されていない場合、他の連絡先をユーザに直接選択させ、その選択された連絡先に再発信を行うこともできる。
【００４５】
これをより詳しく説明すると、制御部１２０は、相手「James Kang」の他の連絡先を図４Ｄのようにディスプレイ１３０に表示する（Ｓ３４５）。その後、段階（Ｓ３４５）で表示した図４Ｄの連絡先から連絡したい連絡先（例えば、図４Ｄでは会社電話番号［office］：０２−２２２−２２２２）を、端末機１００のキーパッドに備えられた方向キーなどを利用してユーザに選択させ（図４Ｄにおいてカーソルがハイライトで表示されている）、制御部１２０は、該選択された連絡先（すなわち、０２−２２２−２２２２）をメモリ部１１０に格納された電話帳から読み出す（Ｓ３４６）。
【００４６】
次に、制御部１２０は、段階（Ｓ３４６）で読み出した連絡先（すなわち、０２−２２２−２２２２）が電話番号であるか、それとも他の通信手段（すなわち、電子メールアドレス）であるかを判断する（Ｓ３４３）。
【００４７】
段階（Ｓ３４３）の判断で、読み出した連絡先が電話番号である場合、制御部１２０は、その連絡先（すなわち、０２−２２２−２２２２）に発呼を行う（Ｓ３４４）。その後の呼実行手順は、前述同様で、再び段階（Ｓ３２１）に戻って段階（Ｓ３２１）及びその後続段階を行う。
【００４８】
以上、相手「James Kang」の電話帳登録内容にある連絡先のうち、電話番号が第２及び第３発信優先順位に設定されている場合の自動的再発呼について説明した。続いては、図２Ｃのように電子メールアドレスの［ＳＭＳ］及び［ＭＭＳ］が第２及び第３発信優先順位に設定されている場合について説明する。
【００４９】
図５は、最初の呼接続失敗後に、電子メールで後続コールを行う制御を示すフローチャートであり、図３のサブルーチンである。
【００５０】
図５のフローチャートを参照すると、前の発呼が通話不能状態であった後、段階（Ｓ３４２，Ｓ３４６）で読み出した相手「James Kang」の第２発信優先順位の連絡先が電話番号ではなく、他の通信手段（図２Ｃの例では［ＳＭＳ］：０１１−１１１−１１１１）であると（Ｓ３４３）、制御部１２０は、第２発信優先順位の連絡先がＥメール、ＳＭＳ、ＭＭＳのいずれであるかを判断する（Ｓ４２０）。段階（Ｓ４２０）の結果、第２発信優先順位に設定されている連絡先がＳＭＳであると、ＳＭＳ作成ウィンドウをディスプレイ１３０に提供する（Ｓ４２１）。そのＳＭＳ作成ウィンドウにおいてショートメッセージをユーザに作成させ（Ｓ４２２）、当該ＳＭＳのアドレスとして登録されている電話番号：０１１−１１１−１１１１にメッセージ送信によって再発信を行う（Ｓ３４４）。
【００５１】
一方、段階（Ｓ４２０）の結果、第２発信優先順位に設定されている連絡先がＥメールやＭＭＳである場合は、ディスプレイ１３０にＥメール作成ウィンドウ又はＭＭＳ作成ウィンドウを提供し（Ｓ４２３又はＳ４２５）、提供した作成ウィンドウにおいて文字メッセージ、動画、静止画、音楽ファイル、イメージファイルなどをユーザに作成させ（Ｓ４２４又はＳ４２６）、メッセージ送信によって再発信を行う（Ｓ３４４）。
【００５２】
ユーザが段階（Ｓ３００）で、図２Ｂのように、代表連絡先以外は発信優先順位を設定していなかった場合も、同様に処理することができる。すなわち、相手の代表連絡先（すなわち、電話番号：０１１−１１１−１１１１）に発呼を行ったが、その呼が通話不能状態であった場合、相手「James Kang」の電話帳登録内容をディスプレイ１３０に表示する（Ｓ３４５）。表示した登録内容において、Ｅメール、ＳＭＳ、ＭＭＳなど電話番号以外の通信手段での再発信が選択された場合、段階（Ｓ４００）以降のフローにより、ユーザー所望の通信手段を選択して再発信を行う。
【００５３】
以上のように動作する本発明に係る移動通信端末機は、呼失敗で自動的に再発信を行う制御をソフトウェアプログラムで実現でき、その実現したソフトウェアプログラムを所定のハードウェアと組み合わせて実現することができる。例えば、端末機の記憶装置や記憶媒体、すなわち、内部メモリ、フラッシュメモリ、あるいはメモリカードなどに本発明を実現し得るソフトウェアプログラムを格納することができる。
【図面の簡単な説明】
【００５４】
【図１】本発明に係る移動通信端末機の概略的な構成を示す図である。
【図２Ａ】本発明に係る移動通信端末機のメモリ部に格納される名前別電話帳の一例を示す図である。
【図２Ｂ】本発明に係る移動通信端末機のメモリ部に格納される名前別電話帳の他の例を示す図である。
【図２Ｃ】本発明に係る移動通信端末機のメモリ部に格納される名前別電話帳のさらに他の例を示す図である。
【図３】本発明に係る移動通信端末機の再発信方法を説明するフローチャートである。
【図４Ａ】最初（第１）の呼が通話不能状態であることを通知するメッセージの例である。
【図４Ｂ】再発信を自動的に行うことを通知するメッセージの例である。
【図４Ｃ】再々発信までを自動的に行う場合の手順例を説明したフローチャートである。
【図４Ｄ】再発信を行う連絡先をユーザに選択させる通知ウィンドウの例である。
【図５】本発明に係る移動通信端末機の再発信方法において、電子メールにより再発信を行う場合を説明するフローチャートで、図３のサブルーチンである。
【図６】再発信のためのＳＭＳメッセージ作成ウィンドウの例である。
【符号の説明】
【００５５】
１００：端末機
１１０：メモリ部
１２０：制御部
１３０：ディスプレイ
【図１】
2006211672.tif 000003
【図２Ａ】
2006211672.tif 000004
【図２Ｂ】
2006211672.tif 000005
【図２Ｃ】
2006211672.tif 000006
【図３】
2006211672.tif 000007
【図４Ａ】
2006211672.tif 000008
【図４Ｂ】
2006211672.tif 000009
【図４Ｃ】
2006211672.tif 000010
【図４Ｄ】
2006211672.tif 000011
【図５】
2006211672.tif 000012
【図６】
2006211672.tif 000013